(57)【要約】  【課題】  筐体の開閉機構を有する折畳み式の端末装置において、外観を損なわずにバッテリー供給を行うようにするとともに、装置の利便性を向上させる。  【解決手段】  第１の筐体１と第２の筐体２とが、ヒンジ部３により開閉可能に支持されている。ヒンジ部３は、第１の筐体１と第２の筐体２との開閉動作に連動して発電し、電源部を充電する発電部２０を内部に有している。発電部２０は、誘電コイル３１と永久磁石３２とを有して構成されており、第１の筐体１と第２の筐体２との開閉動作に伴って、誘電コイル３１が永久磁石３２にて発生する磁束を横切るように誘電コイル３１と永久磁石３２とが相対的に回転することにより発電する。【選択図】      図１
2005101880.tif 000002
【特許請求の範囲】
【請求項１】
第１の筐体または第２の筐体に搭載された電源部によって駆動され、上記第１の筐体と上記第２の筐体とがヒンジ部により開閉可能に支持された折畳み式端末装置であって、
上記ヒンジ部は、上記第１の筐体と上記第２の筐体との開閉動作に連動して発電し、上記電源部を充電する発電部を内部に有していることを特徴とする折畳み式端末装置。
【請求項２】
上記発電部は、誘電コイルと磁石とを有して構成されており、上記第１の筐体と上記第２の筐体との開閉動作に伴って、上記誘電コイルが上記磁石にて発生する磁束を横切るように上記誘電コイルと上記磁石とが相対的に回転することにより発電することを特徴とする請求項１に記載の折畳み式端末装置。
【請求項３】
上記ヒンジ部は、上記第１の筐体と連続して形成される第１分割ヒンジ部と、上記第２の筐体と連続して形成される第２分割ヒンジ部とで構成されており、
上記誘電コイルは、上記第１分割ヒンジ部と上記第２分割ヒンジ部とのいずれか一方に設けられており、上記磁石は他方に設けられていることを特徴とする請求項２に記載の折畳み式端末装置。
【発明の詳細な説明】
【技術分野】
【０００１】
本発明は、例えば折畳み式の携帯電話機やノート型パーソナルコンピュータなど、筐体の開閉機構を有する折畳み式端末装置に関するものである。
【背景技術】
【０００２】
従来から、携帯型端末装置の一種である携帯電話機が種々提案されている。携帯電話機は、本体に脱着可能なパッケージング構造の電池を備えており、電池駆動となっている。このような携帯電話機では、通信等により電波を発射したり、機器を動作状態のまま放置しておくと、電池の消耗が激しく、数時間から１日程度で電池が無くなる。この場合には、電池の充電または交換が必要となる。つまり、駆動源である電池が無くなった場合には、携帯電話機が通信不可能となって、その本来の機能を果たさなくなるため、利用者は絶えず充電器や交換用の電池を持ち歩き、バッテリー残量を気にしておく必要があった。
【０００３】
また、電池の残量が少なくなったときに、直ちに充電する設備がなかったり（充電器を持ち歩いてなかったり）、交換用電池が直ちに入手できないような場合でも、携帯電話機の使用ができなくなる。
【０００４】
そこで、例えば特許文献１では、人間の歩行時の振動を利用して発電する発電装置を、携帯電話機に外付けする構成が開示されている。この構成によれば、発電装置での発電により発生した電気が、携帯電話機の電池に充電されるので、電池切れの心配が無くなり、利用者はバッテリー残量を気にせずに、携帯電話機を使用することができる。
【特許文献１】実開平５−９１０４６号公報
【発明の開示】
【発明が解決しようとする課題】
【０００５】
ところが、上記特許文献１では、発電装置が携帯電話機に外付けされるものであるため、外付け用の発電装置を別途持ち歩かなければならず、しかも、外出時に発電装置の持ち忘れが生ずる可能性もあり、不利不便である。また、発電装置が携帯電話機に装着された場合に、携帯電話機の外観が損なわれてしまう。
【０００６】
また、近年では、折畳み式の携帯電話機やノート型パーソナルコンピュータなど、筐体の開閉機構を有する、いわゆる折畳み式の端末装置が普及しており、特に、このような端末装置において、外観を損なうことなく、簡易なバッテリー供給が実現できれば、利用者にも十分に満足してもらえる端末装置を実現することができる。
【０００７】
本発明は、上記の問題点を解決するためになされたものであって、その目的は、折畳み式端末装置において、外観を損なわずに簡易なバッテリー供給を実現できる機構を提供することにある。
【課題を解決するための手段】
【０００８】
本発明の折畳み式端末装置は、第１の筐体または第２の筐体に搭載された電源部によって駆動され、上記第１の筐体と上記第２の筐体とがヒンジ部により開閉可能（回動可能）に支持された折畳み式端末装置であって、上記ヒンジ部は、上記第１の筐体と上記第２の筐体との（相対的な）開閉動作（回動動作）に連動して発電し、上記電源部を充電する発電部を内部に有していることを特徴としている。
【０００９】
第１の筐体と第２の筐体との開閉動作は、近年、普及している折畳み式端末装置を使用する際の自然動作である。したがって、ヒンジ部の内部の発電部が、このような第１の筐体と第２の筐体との相対的な開閉動作を利用して、これに連動して発電し、電源部を充電することにより、折畳み式端末装置特有の発電および充電機構を実現することができる。これにより、装置の利便性を向上させることができる。また、発電部は、ヒンジ部の内部で発電するので、発電装置を外付けする従来のように、上記発電装置を持ち歩く必要もないし、発電装置の持ち忘れといった事態が生ずる余地もなく、さらに、端末装置の外観が損なわれることもない。
【００１０】
ここで、上記発電部は、誘電コイルと磁石とを有して構成されており、上記第１の筐体と上記第２の筐体との開閉動作に伴って、上記誘電コイルが上記磁石にて発生する磁束を横切るように上記誘電コイルと上記磁石とが相対的に回転することにより発電する構成であってもよい。
【００１１】
この構成によれば、第１の筐体と第２の筐体との開閉動作に伴って誘電コイルと磁石とが相対的に回転することにより、誘電コイルが磁石の磁束を横切るように回転する。これにより、上記開閉動作に伴って誘電コイルに電流が流れ、発電部が発電する。したがって、第１の筐体と第２の筐体との開閉動作によって、電源部を確実に充電することができる。
【００１２】
また、上記ヒンジ部は、上記第１の筐体と連続して形成される第１分割ヒンジ部と、上記第２の筐体と連続して形成される第２分割ヒンジ部とで構成され、上記誘電コイルは、上記第１分割ヒンジ部と上記第２分割ヒンジ部とのいずれか一方に設けられており、上記磁石は他方に設けられている構成であってもよい。
【００１３】
上記の構成によれば、誘電コイルと磁石とが、第１分割ヒンジ部または第２分割ヒンジ部という別々のヒンジ部に設けられている。これにより、第１分割ヒンジ部と連続する第１の筐体と、第２分割ヒンジ部と連続する第２の筐体とを相対的に開閉させたときに、必ず、誘電コイルが磁石の磁束を横切るように、誘電コイルおよび磁石が回転する。したがって、第１の筐体と第２の筐体との開閉動作時には、ヒンジ部内部、すなわち、端末装置内部で確実に発電させることができる。
【発明の効果】
【００１４】
本発明によれば、ヒンジ部内部の発電部が、第１の筐体と第２の筐体との相対的な開閉動作に連動して発電し、電源部を充電するので、折畳み式端末装置特有の発電および充電機構を実現することができる。これにより、従来のように外付けの発電装置を持ち歩く必要もなく、発電装置の持ち忘れといった事態が生ずることもないので、利用者を十分に満足させることができる。また、発電部はヒンジ部内部に設けられ、従来のように外付けタイプではないので、端末装置の外観が損なわれることもない。
【発明を実施するための最良の形態】
【００１５】
本発明の実施の一形態について、図面に基づいて説明すれば、以下の通りである。
【００１６】
図２は、本実施形態における折畳み式端末装置の一例となる折畳み式携帯電話機（以下、単に携帯電話機と略称する）の外観構成を示す斜視図である。この携帯電話機は、第１の筐体１と第２の筐体２とがヒンジ部３により相対的に開閉可能（回動可能）に支持されたものである。第１の筐体１には、後述する表示部１８が少なくとも設けられており、第２の筐体２には、後述する操作部１６が少なくとも設けられている。
【００１７】
ヒンジ部３は、ヒンジ部３ａ（第１分割ヒンジ部）とヒンジ部３ｂ（第２分割ヒンジ部）とで構成されている。ヒンジ部３ａは、第１の筐体１と連続して形成されており、ヒンジ部３ｂは、第２の筐体２と連続して形成されている。これらヒンジ部３ａ・３ｂは、回動軸が同軸であり、かつ、互いに摺動するように設けられている。
【００１８】
以下、携帯電話機の詳細な構成について説明する。図３は、携帯電話機の詳細な構成を示すブロック図である。この携帯電話機は、アンテナ１１と、通信部１２と、音声処理部１３と、スピーカ１４と、マイク１５と、操作部１６と、制御部１７と、表示部１８と、電源部１９と、発電部２０とを有して構成されている。
【００１９】
通信部１２は、アンテナ１１を介して外部機器からの電波を受信および送信するための回路である。音声処理部１３は、通信部１２にて受信または送信される信号に含まれる音声信号を処理する。スピーカ１４は、音声処理部１３にて処理された信号を外部に放音する。マイク１５は、外部音声を集音して音声処理部１３に供給する。
【００２０】
操作部１６は、入力操作を行うための複数のキーやレバーで構成されている。例えば、操作部１６は、通話を開始させる通話キー、短時間押しにより通話を終了させ、長時間押しにより電源をＯＮ／ＯＦＦさせる終話／電源キー等の機能キー、電話番号の入力等を行う数字キーなどを有しており、各キー入力の有無も判定する。
【００２１】
制御部１７は、通信部１２、音声処理部１３および操作部１６からの信号を処理するなど、各部の動作制御を行う。表示部１８は、操作部１６での入力操作に応じた情報や各種状態の表示を行う。電源部１９は、各部に電源を供給するものであり、例えば充電可能な電池（バッテリー）で構成されている。
【００２２】
発電部２０は、本発明の最も特徴的な部分であり、第１の筐体１と第２の筐体２との開閉動作に連動して発電し、電源部１９を充電するものである。この発電部２０は、ヒンジ部３の内部に設けられている。以下、発電部２０の詳細について説明する。
【００２３】
図１は、発電部２０の概略の構成を示す断面図である。また、図４（ａ）は、ヒンジ部３ａ側に形成される発電部２０の概略の構成を示す断面図であり、図４（ｂ）は、ヒンジ部３ｂ側に形成される発電部２０の概略の構成を示す断面図である。また、図５は、発電部２０と電源部１９との接続関係を示す説明図である。
【００２４】
図５に示すように、発電部２０は、誘電コイル３１と、永久磁石３２と、整流子３３と、整流回路３４とを有して構成されている。
【００２５】
誘電コイル３１は、図１、図４（ａ）（ｂ）に示すように、ヒンジ部３ａの回動軸３ｃの周面に設けられている。一方、永久磁石３２は、ヒンジ部３ｂの内面に設けられている。そして、ヒンジ部３内部では、誘電コイル３１を外側から覆うように永久磁石３２が配置される。
【００２６】
整流子３３は、第１の筐体１と第２の筐体２との相対的な開閉動作によって、誘電コイル３１にて発生した電流を整流回路３４に導くものである。整流回路３４は、ダイオードを含む充電回路であり、整流子３３を介して供給される電流を電源部１９に供給する。
【００２７】
上記の構成において、携帯電話機の使用開始または使用終了の際には、第１の筐体１と第２の筐体２との相対的な開閉動作を伴うが、上記開閉動作が行われると、その開閉動作に伴って、誘電コイル３１と永久磁石３２とが、誘電コイル３１が永久磁石３２にて発生する磁束を横切るように相対的に回転する。これにより、誘電コイル３１にて電流が発生し、発電部２０が発電する。そして、誘電コイル３１にて発生した電流が整流子３３および整流回路３４を介して電源部１９に供給される。これにより、電源部１９が充電されることになる。
【００２８】
以上のように、本実施形態の携帯電話機は、ヒンジ部３内部の発電部２０が、第１の筐体１と第２の筐体２との相対的な開閉動作に連動して発電し、電源部１９を充電する構成である。これにより、携帯電話機の発信時の都度、折畳み状態から開放状態にする際、または、通話終了後、開放状態から折畳み状態にする際に、利用者の開放動作力や折りたたみ動作力がそのまま起電力発生源となり、これによって十分な充電機能を容易に実現することができる。したがって、携帯電話機の利便性を向上させることができる。
【００２９】
つまり、本実施形態のような発電部２０を内蔵した折畳み式の携帯電話機によれば、携帯電話機を開いたり閉じたりという、普段何気なく行っている簡単な動作によって、発電部２０が発電し、携帯電話機の電源部１９が充電されるので、携帯電話機の簡易な充電機構を実現することができる。
【００３０】
また、本実施形態の携帯電話機は、発電部２０を内蔵しているので、携帯電話機のバッテリー切れをほとんど無くすことができ、また、頻繁にバッテリーの充電作業を行う必要がなく、バッテリーの残量を気にせずに、いつでもどこでも安心して長時間携帯電話機を使用することができる。したがって、バッテリー切れによって携帯電話機が突然通信不可能になるおそれから開放され、携帯電話機本来の機能を確実に果たすことができる。また、電源部１９の利用効率を上げることができ、長寿命化を図ることができるとともに、携帯電話機の待受け時間・通信時間を長くとることもできる。
【００３１】
しかも、発電部２０はヒンジ部３に内蔵されているので、携帯電話機自体が大型化することもない。また、電源部１９を大容量のもので構成する必要もないので、電源部１９の小型化、ひいては携帯電話機本体の小型化を図ることもできる。
【００３２】
また、発電部２０は、ヒンジ部３の内部で発電するので、発電装置を外付けする従来のように、上記発電装置を絶えず持ち歩く必要もないし、発電装置の持ち忘れといった事態が生ずる余地もなく、さらに、携帯電話機の外観（美観）が損なわれることもない。
【００３３】
さらに、携帯電話機がヒンジ部３に発電部２０を内蔵していることにより、携帯電話機の使用時（開動作時および閉動作時）のみならず、携帯電話機を現在使用する必要がない場合（通話や電子メールを送信しない場合）でも、電源部１９のバッテリー切れが近づいたと利用者が判断した場合には、利用者が第１の筐体１と第２の筐体２とを積極的に何度も開閉させる動作を繰り返すことにより、積極的に電源部１９を充電することもでき、電源部１９のバッテリー切れを未然に防止することもできる。
【００３４】
また、発電部２０は、誘電コイル３１と永久磁石３２とを有して構成されており、第１の筐体１と第２の筐体２との開閉動作に伴って、誘電コイル３１が永久磁石３２にて発生する磁束を横切るように誘電コイル３１と永久磁石３２とが相対的に回転することにより発電する構成である。これにより、第１の筐体１と第２の筐体２との開閉動作によって、発電部２０が確実に発電し、電源部１９を確実に充電することができる。
【００３５】
また、ヒンジ部３は、第１の筐体１と連続して形成されるヒンジ部３ａと、第２の筐体２と連続して形成されるヒンジ部３ｂとで構成され、誘電コイル３１は、ヒンジ部３ａとヒンジ部３ｂとのいずれか一方（例えば第１の筐体１）に設けられており、永久磁石３２は他方（例えば第２の筐体２）に設けられている構成である。これにより、第１の筐体１と第２の筐体２との開閉動作時には、ヒンジ部３内部、すなわち、携帯電話機内部で確実に発電させることができる。
【００３６】
以上では、折畳み式の端末装置として、折畳み式の携帯電話機を例に挙げて説明したが、本発明は、このような折畳み式の携帯電話機に限定されるわけではない。例えば、ノート型パーソナルコンピュータやＰＤＡ等のモバイル機器など、開閉可能（回動可能）な複数の筐体を有し、装置の使用において各筐体を相対的に開閉（回動）させる機構を有する端末装置であれば、本発明を適用することが可能である。
【図面の簡単な説明】
【００３７】
【図１】本発明の実施の一形態に係る折畳み式携帯電話機が内蔵する発電部の概略の構成を示す断面図である。
【図２】上記携帯電話機の外観構成を示す斜視図である。
【図３】上記携帯電話機の詳細な構成を示すブロック図である。
【図４】（ａ）は、上記携帯電話機の一方のヒンジ部側に形成される発電部の概略の構成を示す断面図である。（ｂ）は、他方のヒンジ部側に形成される発電部の概略の構成を示す断面図である。
【図５】上記携帯電話機が有する電源部と上記発電部との接続関係を示す説明図である。
【符号の説明】
【００３８】
１    第１の筐体
２    第２の筐体
３    ヒンジ部
３ａ  ヒンジ部（第１分割ヒンジ部）
３ｂ  ヒンジ部（第２分割ヒンジ部）
１９    電源部
２０    発電部
３１    誘電コイル
３２    永久磁石（磁石）
【図１】
2005101880.tif 000003
【図２】
2005101880.tif 000004
【図３】
2005101880.tif 000005
【図４】
2005101880.tif 000006
【図５】
2005101880.tif 000007